(57)【要約】【課題】  ＳＩＰサーバにおけるＩＰアドレス管理やユーザＩＤ等の管理、および呼接続処理の負荷増加を防ぐ。【解決手段】  ユーザ毎にＩＰ電話端末１Ａ〜１Ｍが同時にログインできる上限台数を設けて構成情報管理サーバ３に記憶し、またレジストラサーバ２１に各ユーザがログイン可能として登録されたＩＰ電話端末１の端末ＩＤとユーザＵ１のＩＤとを組にした登録情報を記憶する。ログインするためにユーザＩＤが入力されたＩＰ電話端末１は、ユーザＵ１が登録可能なＩＰ電話端末１の上限台数をダウンロードして登録動作前に現在の登録状況を確認し、当該ＩＰ電話端末１を登録するとＩＰ電話端末１が上限数を超える場合は、強制ログイン入力待ち状態に移行し、ユーザＵ１から強制ログインコマンドが入力されない限り登録情報を送信せずにログインを待機する。【選択図】  図１
2006180322.tif 000002
【特許請求の範囲】
【請求項１】
サーバ手段と複数のＩＰ電話端末とを備えるＩＰ電話システムにおいて、
前記ＩＰ電話システムの各ユーザが同時に前記ＩＰ電話システムにログイン可能な前記ＩＰ電話端末の各上限台数を内部メモリ上のテーブルに記憶する構成情報管理サーバ手段と、前記各ユーザのＩＤと前記ユーザによりログインされる前記ＩＰ電話端末の端末ＩＤ、又はＩＰアドレスとを組にした登録情報を前記ＩＰ電話端末から受信した場合、前記組の登録情報を内部メモリ上の登録リストにログインデータとして記憶するレジストラサーバ手段と、前記ログインしたＩＰ電話端末との間で呼接続制御をするＳＩＰサーバ手段とを備えたサーバ手段と、
それぞれが固有の端末ＩＤを有し、前記ユーザのＩＤが入力されると、ＩＰネットワークを介して前記レジストラサーバ手段の前記登録リストから当該ユーザのＩＤと組になり前記記憶された前記ＩＰ電話端末の台数と前記構成情報管理サーバの前記テーブルから当該ユーザの前記上限台数とを読み出して照合比較し、前記登録すると前記ログインするＩＰ電話端末の台数が前記上限台数以下である場合は、当該ユーザのＩＤと自身のＩＰ電話端末の端末ＩＤ、又はＩＰアドレスを組にした新たな登録情報を前記ＩＰネットワークを介して前記レジストラサーバに送信することにより前記ログインするＩＰ電話端末とを
具備することを特徴とするＩＰ電話システム。
【請求項２】
前記ＩＰ電話端末は、前記照合比較し、前記登録すると当該ユーザが前記ログインするＩＰ電話端末の台数が前記上限台数を超える場合は、強制ログインコマンドが入力されない限り、前記新しい登録情報を送信せずにログインを待機することを特徴とする
請求項１に記載のＩＰ電話システム。
【請求項３】
前記ＩＰ電話端末は、
前記待機を開始すると共に予め定めたタイミングで前記照合比較を実施し、前記登録されていた前記ＩＰ電話端末のいずれかがログアウトすることにより前記新しい登録情報を送信しても当該ユーザがログインするＩＰ電話端末の台数が前記上限台数以下になる場合、自動的に前記登録情報を送信してログインすることを特徴とする請求項２に記載のＩＰ電話システム。
【請求項４】
前記ＩＰ電話端末は、
前記待機を開始すると共に、ランプ表示、又は警報音を出力して前記ログインが不可であることをユーザＩＤを入力したユーザに通知することを特徴とする請求項２に記載のＩＰ電話システム。
【請求項５】
構成情報管理サーバ手段と、レジストラサーバ手段と、ＳＩＰサーバ手段と、それぞれが固有の端末ＩＤを備え複数のＩＰ電話端末とを具備するＩＰ電話システムの通信制御方法であって、
構成情報管理サーバ手段は、
前記ＩＰ電話システムを利用する各ユーザが同時に前記ＩＰ電話システムにログイン可能な前記ＩＰ電話端末の各上限台数を内部メモリ上のテーブルに記憶し、
レジストラサーバ手段は、
前記ＩＰ電話端末から前記ユーザのＩＤと、前記ＩＰ電話端末の端末ＩＤ、又はＩＰアドレスとからなる組の登録情報を受信した場合、前記組の登録情報をログイン内部メモリ上の登録リストにログインデータとして記憶し、
自端末から前記ＩＰ電話システムにログインする前記ユーザのＩＤが入力された前記ＩＰ電話端末は、
前記ＩＰネットワークを介して前記レジストラサーバ手段の前記登録リストから当該ユーザのＩＤが前記記憶された前記ＩＰ電話端末の台数、および前記ユーザの前記上限台数を前記構成情報管理サーバ手段から読み出して照合比較し、前記登録しても当該ユーザがログインするＩＰ電話端末の台数が前記上限台数以下である場合は、当該ユーザのＩＤと自らのＩＰ電話端末の端末ＩＤ、又はＩＰアドレスを組にした新しい登録情報を前記レジストラサーバ手段に送信して当該ＩＰ電話端末を前記ログインし、
前記ＳＩＰサーバ手段は、
前記ログインした前記ＩＰ電話端末との間で呼接続制御を行う
ことを特徴とするＩＰ電話システムの通信制御方法。
【請求項６】
前記ＩＰ電話端末は、前記照合比較し、前記登録すると当該ユーザが前記ログインするＩＰ電話端末の台数が前記上限台数を超える場合は、強制ログインコマンドが入力されない限り、前記新しい登録情報を送信せずにログインを待機することを特徴とする
請求項１に記載のＩＰ電話システムの通信制御方法。
【請求項７】
前記ＩＰ電話端末は、
前記待機を開始すると共に予め定めたタイミングで前記照合比較を実施し、前記登録されていた前記ＩＰ電話端末のいずれかがログアウトすることにより前記新しい登録情報を送信しても当該ユーザがログインするＩＰ電話端末の台数が前記上限台数以下になる場合、自動的に前記登録情報を送信してログインすることを特徴とする請求項６に記載のＩＰ電話システムの通信制御方法。
【請求項８】
前記ＩＰ電話端末は、
前記待機を開始すると共に、ランプ表示、又は警報音を出力して前記ログインが不可であることをユーザＩＤを入力したユーザに通知することを特徴とする請求項６に記載のＩＰ電話システムの通信制御方法。
【発明の詳細な説明】
【技術分野】
【０００１】
本発明は、ＳＩＰ手順によりインターネットを用いて通信を行うＩＰ電話システム、およびその通信制御方法に関する。
【背景技術】
【０００２】
ＩＰ（Ｉｎｔｅｒｎｅｔ  Ｐｒｏｔｏｃｏｌ）ネットワークを介して通信するインターネット電話（以下ＩＰ電話と称する。）は、通信制御が比較的容易で、ＩＰ電話システム機能の発展性が大きいＳＩＰ（Ｓｅｓｓｉｏｎ  Ｉｎｉｔｉａｔｅｄ  Ｐｒｏｔｏｃｏｌ）手順によるＩＰ電話システムが使われる様になっている。ＳＩＰ手順によるＩＰ電話（以下ＳＩＰ電話と称する。）は、ＩＰ電話の通信制御を行うＳＩＰサーバがユーザＩＤとＩＰ電話端末を管理するレジストラサーバを制御することによりＩＰネットワークに接続されたＩＰ電話端末を介してどこからでも同一ユーザＩＤによる電話が可能である。
【０００３】
この様な通信制御を行うサーバでは、ＩＰ電話端末数が増えるにつれ、そのＩＰアドレスやユーザＩＤの管理が膨大になる。従来、ＩＰ電話ではＩＰアドレスも有限であるため、これらのＩＤ管理やＩＰアドレスを有効に活用するためグローバルアドレスをローカルアドレスに変更してアドレス資源を有効に活用する方法が導入されている（例えば、特許文献１参照。）。
【０００４】
しかし、この方法は、ＩＰ電話端末のＩＰアドレスを少なくすませるＩＰアドレス資源節約には有効であっても、同一ＩＤで多数のＩＰ電話を管理するためのＩＤ管理は行わない。従って、ＩＰ電話を構成するＩＰ電話端末数が大きいとＳＩＰサーバにおけるＩＰ電話端末のＩＰアドレスとユーザＩＤに関わるＣＰＵ処理の負荷は、相変わらず大きい問題があった。
【特許文献１】特開平１１−１２２２８５号公報（第１４頁、第１図）
【発明の開示】
【発明が解決しようとする課題】
【０００５】
ＳＩＰ電話は、ＩＰネットワークを介してどこのＩＰ電話端末からでも同一ユーザＩＤによる電話が可能であるが、ＳＩＰサーバではＩＰ電話端末のＩＰアドレス数とユーザＩＤ数が大きくなると呼接続処理の負荷が大きくなる問題があった。
【０００６】
本発明は上記問題を解決するためになされたもので、ＳＩＰサーバにおけるＩＰアドレス管理とユーザＩＤ等の管理、および呼接続処理の負荷増加を防ぐＩＰ電話システムとその通信制御方法を提供することを目的とする。
【課題を解決するための手段】
【０００７】
上記目的を達成するために、本発明のＩＰ電話システムは、サーバ手段と複数のＩＰ電話端末とを備えるＩＰ電話システムにおいて、前記ＩＰ電話システムの各ユーザが同時に前記ＩＰ電話システムにログイン可能な前記ＩＰ電話端末の各上限台数を内部メモリ上のテーブルに記憶する構成情報管理サーバ手段と、前記各ユーザのＩＤと前記ユーザによりログインされる前記ＩＰ電話端末の端末ＩＤ、又はＩＰアドレスとを組にした登録情報を前記ＩＰ電話端末から受信した場合、前記組の登録情報を内部メモリ上の登録リストにログインデータとして記憶するレジストラサーバ手段と、前記ログインしたＩＰ電話端末との間で呼接続制御をするＳＩＰサーバ手段とを備えたサーバ手段と、それぞれが固有の端末ＩＤを有し、前記ユーザのＩＤが入力されると、ＩＰネットワークを介して前記レジストラサーバ手段の前記登録リストから当該ユーザのＩＤと組になり前記記憶された前記ＩＰ電話端末の台数と前記構成情報管理サーバの前記テーブルから当該ユーザの前記上限台数とを読み出して照合比較し、前記登録すると前記ログインするＩＰ電話端末の台数が前記上限台数以下である場合は、当該ユーザのＩＤと自身のＩＰ電話端末の端末ＩＤ、又はＩＰアドレスを組にした新たな登録情報を前記ＩＰネットワークを介して前記レジストラサーバに送信することにより前記ログインするＩＰ電話端末とを具備することを特徴とする。
【０００８】
また、本発明のＩＰ電話システムの通信制御方法は、構成情報管理サーバ手段と、レジストラサーバ手段と、ＳＩＰサーバ手段と、それぞれが固有の端末ＩＤを備え複数のＩＰ電話端末とを具備するＩＰ電話システムの通信制御方法であって、構成情報管理サーバ手段は、前記ＩＰ電話システムを利用する各ユーザが同時に前記ＩＰ電話システムにログイン可能な前記ＩＰ電話端末の各上限台数を内部メモリ上のテーブルに記憶し、レジストラサーバ手段は、前記ＩＰ電話端末から前記ユーザのＩＤと、前記ＩＰ電話端末の端末ＩＤ、又はＩＰアドレスとからなる組の登録情報を受信した場合、前記組の登録情報をログイン内部メモリ上の登録リストにログインデータとして記憶し、自端末から前記ＩＰ電話システムにログインする前記ユーザのＩＤが入力された前記ＩＰ電話端末は、前記ＩＰネットワークを介して前記レジストラサーバ手段の前記登録リストから当該ユーザのＩＤが前記記憶された前記ＩＰ電話端末の台数、および前記ユーザの前記上限台数を前記構成情報管理サーバ手段から読み出して照合比較し、前記登録しても当該ユーザがログインするＩＰ電話端末の台数が前記上限台数以下である場合は、当該ユーザのＩＤと自らのＩＰ電話端末の端末ＩＤ、又はＩＰアドレスを組にした新しい登録情報を前記レジストラサーバ手段に送信して当該ＩＰ電話端末を前記ログインし、前記ＳＩＰサーバ手段は、前記ログインした前記ＩＰ電話端末との間で呼接続制御を行うことを特徴とするＩＰ電話システムの通信制御方法。
【発明の効果】
【０００９】
本発明によれば、ユーザ毎にＩＰ電話システムにログイン可能なＩＰ電話端末の上限台数を設け、ログインするユーザＩＤが入力されたＩＰ電話端末は、そのユーザの登録上限数と現在の登録台数をサーバから読み出して確認し、上限台数以下の場合に当該ユーザのＩＤと自らのＩＰ電話端末の端末ＩＤ、又はＩＰアドレスを組にした新しい登録情報を前記レジストラサーバ手段に送信してログインすることによりユーザがログインするＩＰ電話端末台数を制限することによりＳＩＰサーバの負荷の増加を防ぐことが出来る。
【発明を実施するための最良の形態】
【００１０】
以下、図面を参照して本発明の実施例を説明する。
【実施例】
【００１１】
図１は、本発明の実施例に係るＩＰ電話システムの全体図である。
【００１２】
図１においてＩＰ電話システムは、複数のＩＰ電話端末１Ａ〜１Ｍ（以下全ＩＰ電話端末１Ａ〜１Ｍに共通する事項の場合、ＩＰ電話端末１と称する。）、ＳＩＰサーバ２、構成情報管理サーバ３および以上の各構成を接続するＩＰネットワーク４を備えている。
【００１３】
本発明の実施例に係るＩＰ電話システムは、ユーザ毎に同時にＩＰ電話端末が利用（登録）出来る上限台数、即ち、同時にＩＰ電話システムにログインできる上限台数を設けて構成情報管理サーバ３に記憶する。ユーザが新たにログインしようとする時にそのＩＰ電話端末１は、構成情報管理サーバ３からそのユーザの上限台数と、ＳＩＰサーバ２のレジストラサーバ２１から既にログイン中のＩＰ電話端末の台数をダウンロードして照合比較する。そして、ログイン台数が上限台数に達している場合は、ログインしないことによりＩＰアドレス管理やユーザＩＤ管理、および呼接続処理を減らしてＳＩＰサーバの負荷の増加を防いでいる。
【００１４】
このＩＰ電話システムのユーザは、それぞれ固有の識別番号（以下ユーザＩＤと称する。）「Ｕ１」〜「Ｕｎ」が付与され、ＩＰ電話端末１（例えば、１Ａ）を用いて電話をかける場合に、そのユーザＩＤがＩＰ電話端末１Ａに入力される。
【００１５】
ＩＰ電話端末１Ａ〜１Ｃの３台は、ここでは、ユーザＩＤが「Ｕ１」のユーザが使用するもので、ＩＰ電話端末１Ａは事務所に置かれ、ＩＰ電話端末１Ｂはアクセスポイント５を介してＩＰネットワーク４に接続される無線ＬＡＮ端末であり、ＩＰ電話端末１Ｃは会議室に置かれている。また、ＩＰ電話端末１ＭはユーザＩＤが「Ｕｎ」のユーザが使用する。
【００１６】
ＳＩＰサーバ２は、内部にＩＰ電話端末１Ａ〜１Ｍの識別情報と、そのＩＰ電話端末１Ａ〜１Ｍを使用するユーザＩＤの「Ｕ１」〜「Ｕｎ」を組にした登録情報を記憶している登録リスト２１１を持つレジストラサーバ２１を備えている。また、ＳＩＰサーバ２は、ＩＰ電話システムへログインしたＩＰ電話端末１の呼接続を制御する呼接続管理部２２も備えている。
【００１７】
構成情報管理サーバ３は、各ユーザＩＤの「Ｕ１」〜「Ｕｎ」が同時にＩＰ電話端末１Ａ〜１Ｍをログイン可能な上限台数を内部メモリ上のテーブル３１に記憶している。なお、以下の本実施例のＳＩＰ手順では、ＩＰ電話システムへのログインは、レジストラサーバ２１がＩＰ電話端末１から端末のユーザの登録情報を受信して登録リスト２１１に記憶すると自動的にログイン処理しており、ＳＩＰサーバ２からはＩＰ電話端末１に対するログイン制御は行わない。
【００１８】
図２は、図１のＩＰ電話システムにおける動作手順のフローを説明するフローチャートである。以下、図２のフローチャートによりＩＰ電話システムの各構成における動作と処理手順を（１）上限台数までのログイン処理、（２）強制ログイン処理、（３）再ログイン処理（ログインの継続・ログアウト）に分けて説明する。
【００１９】
（１）上限台数までのログイン処理
レジストラサーバ２１にＩＰ電話端末１のユーザＩＤとＩＰアドレスとが登録されていない状態でＩＰ電話端末１ＡとＩＰ電話端末１Ｍとの電源が投入された（ステップｓ１０１）とする。両ＩＰ電話端末１Ａ、１ＭはＤＨＣＰ手順（Ｄｙｎａｍｉｃ  Ｈｏｓｔ  Ｃｏｎｆｉｇｒａｔｉｏｎ  Ｐｒｏｔｏｃｏｌ）に従って、各ＩＰ電話端末１Ａ、１Ｍは自らのＩＰアドレス、およびＳＩＰサーバ２のＩＰアドレス、構成管理情報サーバ３のＩＰアドレスを取得する（ステップｓ１０２）。
【００２０】
そして、ＩＰ電話端末１ＡにユーザＩＤ「Ｕ１」が入力される（ステップｓ１０３）。このユーザＩＤは、ＩＰ電話端末１のキーボタン等から所定の手順により入力される。また、ＩＰ電話端末１がパーソナルコンピュータ等を利用した端末である場合は、そのキーボード等から入力する方法であっても良い。
【００２１】
ＩＰ電話端末１Ａは、ＩＰネットワーク４にアクセスし、構成管理情報サーバ３からユーザＩＤが「Ｕ１」で同時登録可能なＩＰ電話端末の上限数「２」を示す構成情報をダウンロード（ステップｓ１０４）して読み出す。また、ＩＰ電話端末１ＭにユーザＩＤのＵｎが入力されると同様の手順で「３」がＩＰ電話端末１Ｍにダウンロードされる。
【００２２】
図３は、構成管理情報サーバ３の内部メモリが記憶している各ユーザが同時にログイン可能なＩＰ電話端末１の上限台数が登録されたテーブル３１の図である。図３において、構成情報管理サーバ３は、ＩＰ電話システムの利用者として登録されたユーザ「Ｕ１」〜「Ｕｎ」それぞれについて同時ログイン可能なＩＰ電話端末１の上限台数が初期設定され、ユーザ「Ｕ１」に付いては２台、ユーザ「Ｕｎ」については３台が上限台数としてテーブル３１に記憶されている。この初期設定は、例えば、構成管理情報サーバ３、又はＩＰネットワークに接続された管理端末（図示せず。）から管理者によってその各ユーザ「Ｕ１」〜「Ｕｎ」がログイン可能な上限台数が入力される。
【００２３】
続いて、各ＩＰ電話端末１Ａ、１Ｍは、ＳＩＰサーバ２のレジストラサーバ２１から入力されたユーザＩＤ（例えば電話端末１Ａでは「Ｕ１」）とそのユーザ「Ｕ１」が登録されたＩＰ電話端末の登録リスト２１１をダウンロードしてユーザ「Ｕ１」の既登録数「０」を判読する（ステップｓ１０５）。また、構成情報管理サーバ３からテーブル３１をダウンロードして判読したユーザ「Ｕ１」の登録上限台数「２」と照合比較して登録しても台数が１台であり、ログイン可能な上限台数以下なのでログイン可能と判断する（ステップｓ１０７、ｓ１０８がＮｏ）。そして、自らのＩＰ電話端末１ＡのＩＰアドレスとユーザＩＤを組にしたデータを登録情報としてレジストラサーバ２１に送信して登録する（ステップｓ１０９）。
【００２４】
レジストラサーバ２１は、この登録情報を受信し、登録リスト２１１に書き込み記憶して登録すると、ＩＰ電話端末１ＡがＩＰ電話システムにログインされる。そしてＳＩＰサーバ２は、レジストラサーバ２１の登録リスト２１１を常時監視することにより、登録されたＩＰ電話端末１との間で呼接続制御を行う。
【００２５】
即ち、各ＩＰ電話端末１Ａは、インターネット電話システムにログイン後、更に相手先の電話番号がユーザ「Ｕ１」により入力されると、ＳＩＰサーバ２にその電話番号を送信して呼接続を要求する（ステップｓ１１０）。ＳＩＰサーバ２の呼接続制御部２２は、呼接続要求を受信するとその電話番号のＩＰ電話端末１との間で呼接続制御を行う。この呼接続処理までの手順はＩＰ電話端末１Ｍにおいても同様である。
【００２６】
図４は、レジストラサーバ２１の内部メモリに記憶された各ＩＰ電話端末１とユーザＩＤの組合せを示す登録リスト２１１で、図４（ａ）は、ＩＰ電話端末１Ａ、１Ｍが最初に登録された直後の状態である。ＩＰ電話端末１Ａは、端末ＩＤが「１Ａ」、端末のＩＰアドレスが「192.168.100.1」でユーザＩＤが「Ｕ１」のユーザに登録され、ユーザＩＤとペアのアドレス「U1@192.168.100.1」、ＩＰ電話端末１Ｍは、端末ＩＤが「１Ｍ」、ＩＰアドレスが「192.168.100.3」でユーザＩＤが「Ｕｎ」のユーザに登録され「Un@192.168.100.3」の様に記載されている。なお、ユーザとＩＰ電話端末がペアになる対応付けを示すＩＰアドレスは、グローバルアドレス、ローカルアドレスのいずれでも良い。
【００２７】
続いてユーザが無線ＬＡＮ端末であるＩＰ電話端末１Ｂの電源を投入したとする。ＩＰ電話端末１Ｂは、上記説明のＩＰ電話端末１Ａと同様の動作を行い、レジストラサーバ２１から登録リスト２１１をダウンロードし、ユーザＩＤが「Ｕ１」の既登録台数を照合比較する図２のステップｓ１０６までの動作を実施する。そして、登録リスト２１１を判読すると図４（ａ）の様にユーザ「Ｕ１」には１台が既に登録され、自端末を登録しても合計２台であり上限台数「２」以下に収まるのでログイン可能と判断してステップｓ１０９以降を前回と同様に実施する。図４（ｂ）は、ＩＰ電話端末１Ｂにユーザ「Ｕ１」が登録された時の登録リスト２１１である。ＩＰ電話端末１Ｂは、端末ＩＤが「１Ｂ」、ＩＰアドレスが「192.168.200.5」でユーザＩＤが「Ｕ１」のユーザに登録され「U1@192.168.200.5」と記載されている。
【００２８】
（２）強制ログイン処理
強制ログインは、ユーザが上限台数のＩＰ電話端末１でログインしている場合に、更にログインをする場合に行われる。なお、強制ログインしたユーザのＩＰ電話端末１は、後の（３）再ログインの説明の様に、上限台数に収まる様にタイマ処理によってログアウトする処理が行われる。
【００２９】
ここで更にユーザ「Ｕ１」が事務所から更に会議室に移動し、会議室に設置されたＩＰ電話端末１Ｃから電話を掛けることを試みて強制ログイン待機状態になる場合のＩＰ電話端末１Ｃの動作について説明する。
【００３０】
ユーザ「Ｕ１」は、電話をかける前にＩＰ電話端末１Ｃをログインさせる為に「Ｕ１」のユーザＩＤをＩＰ電話端末１Ｃへ入力する（ステップｓ１０３）。そして、ＩＰ電話端末１Ｃは、構成情報管理サーバ３からユーザＩＤが「Ｕ１」の最大上限数「２」と、レジストラサーバ２１から図４（ｂ）の現在の登録リスト２１１をダウンロード（ステップｓ１０４、ｓ１０５）し、ユーザ「Ｕ１」に付いてのＩＰ電話端末１の既登録台数と、上限台数を照合比較する（ステップｓ１０６）。そして、登録リスト２１１を判読してＩＰ電話端末１Ｃは３台目になるので上限数を超えており（ステップｓ１０７がＹｅｓ）、また登録リスト２１１にもＩＰ電話端末１Ｃは登録されていない（ステップｓ１１２がＮｏ）ので、更に登録をすることは出来ないと判断して強制ログインの入力待機をする（ステップｓ１１３）。
【００３１】
そして、ＩＰ電話端末１Ｃは、端末に取り付けられたランプ（図示せず。）の表示（例えば、通話可能表示の消灯、もしくは、通話不可のアラーム点灯など。）または、受話器からトーン信号を出力しないか、またはログイン不可の警報を出力する等の手段によりユーザ「Ｕ１」にログイン不可の警報をユーザ「Ｕ１」に通知する。
【００３２】
この警報を見たユーザ「Ｕ１」は、通常の登録（ログイン）は出来ないと判断して所定のキーボタン操作等により急いで電話をかけるための強制ログインコマンドの入力を行ったとする（ステップｓ１１４がＹｅｓ）。すると、ＩＰ電話端末１Ｃは、ＩＰアドレスが「192.168.100.2」とユーザＩＤの「Ｕ１」の組合せの登録情報をレジストラサーバ２１に送信し（ステップｓ１０９）、ＩＰ電話システムに強制ログインし、更にユーザ「Ｕ１」により入力された電話番号をＳＩＰサーバ３に送信して電話の発呼を行う（ステップｓ１１０）。
【００３３】
図４（ｃ）は、強制ログインが行われた直後のレジストラサーバ２１の登録リスト２１１を示す図である。図４（ｃ）においては、本来、ユーザ「Ｕ１」については、２台迄しか登録出来ないが、強制ログインされたことにより例外的に登録リスト２１１には、３台のＩＰ電話端末１が登録されている。
【００３４】
一方、ユーザ「Ｕ１」がログイン不可を判読して、ＩＰ電話端末１Ｃから電話をかけることを保留したとする（ステップｓ１１４がＮｏ）。この場合ＩＰ電話端末１Ｃは、そのまま強制ログインのコマンドが入力されるのを待機してログイン動作は実施しない。
【００３５】
（３）再ログイン処理（ログインの継続・ログアウト）
ところで、ＳＩＰ手順においては、各ＩＰ電話端末１は、ログイン後、所定の周期（例えば、３０分）が経過するとレジストラサーバ２１が登録リスト２１１から自動的に削除するので、ログインしたＩＰ電話端末１は、ログアウトされる。従って、各ＩＰ電話端末１では、ログアウトを避けて継続して使用可能とするための再ログイン（再登録）を行う手順が実行される（ステップｓ１１１）。
【００３６】
再ログインには２つの方法がある。第１の方法は、ＩＰ電話端末１はログイン後に所定の周期（例えば、３０分）が経過する（例えば、周期時間の半分の１５分）前に自動的に再ログイン処理を行うもの、第２の方法は、所定の周期内にユーザが再ログインコマンドをＩＰ電話端末１へ入力するものである。
【００３７】
（第１の方法）
第１の方法は、従来のＳＩＰ手順と同様に各ＩＰ電話端末１は、ログイン後内部タイマ（図示せず）を参照して、所定の周期の半分の時間（例えば、１５分）が経過した時点で自動的に再ログイン処理を行う。今、ユーザ「Ｕ１」が会議室で打合せ中に事務所のＩＰ電話端末１Ａで、再ログイン（再登録）が必要な時間（例えば、前回のログイン後３０分）が経過したとする。
【００３８】
ユーザ「Ｕ１」は、会議室にいるのでＩＰ電話端末１Ａの再ログインの操作が行えないが、ＩＰ電話端末１Ａは、その１５分前に自動的に再ログインを行う（ステップｓ１１５がＹｅｓ）。
【００３９】
即ち、再ログインのタイミングが到来したＩＰ電話端末１Ａは、再ログイン入力し（ステップｓ１１５がＹｅｓ）レジストラサーバ２１から登録リスト２１１をダウンロードして（ステップｓ１０５）、ユーザ「Ｕ１」の上限台数を比較する（ステップｓ１０６）。
【００４０】
もし、ユーザ「Ｕ１」がログイン中のＩＰ電話端末１の数が、登録可能な上限数よりも少ない（図２のステップｓ１０７、１０８がＮｏ）場合には、自端末のＩＰアドレスとユーザＩＤをレジストラサーバ２１へ送信して上書き登録して再びログインする。
【００４１】
また、ユーザ「Ｕ１」がログイン中のＩＰ電話端末１の数が、登録可能な上限数に達しているとする（図２のステップｓ１０７がＹｅｓ）。その状態では、自動的に再ログインをして登録台数を調べると、登録台数は、上限数に等しく登録リストに自端末が登録されている（ステップｓ１１２がＹｅｓ）ので、自端末のＩＰアドレスとユーザ「Ｕ１」をレジストラサーバ２１へ送信して再ログインの為に登録し（ステップｓ１０９）、再ログインが終了する。以上の２例では、ユーザ「Ｕ１」は、事務室へ戻った時にログイン処理をすることなくＩＰ電話端末１Ａから電話をかけることが出来るようになる。
【００４２】
一方、ユーザ「Ｕ１」がログイン中のＩＰ電話端末１の数が、登録可能な上限数を越えている場合（図２のステップｓ１０７、ｓ１０８がＹｅｓ）、ＩＰ電話端末１Ａは、強制ログイン待機状態になる。そして、ユーザ「Ｕ１が会議室にいるので、事務室のＩＰ電話端末１Ａから強制ログインの操作は行われない（ステップｓ１１４がＮｏ）。そして、ＩＰ電話端末１Ａはタイムアウトして自動的にログアウトする。
【００４３】
また、レジストラサーバ２１も同様にＩＰ電話端末１Ａの登録情報を受信後の経過時間を内部タイマで監視している。そして、ＩＰ電話端末１Ａの前回のログイン成功後所定の周期（３０分）が経過した時、登録リスト２１１からＩＰ電話端末１Ａは削除される。
【００４４】
この様に、登録リスト２１１に登録されているＩＰ電話端末１の台数がユーザ「Ｕ１」の登録上限台数以下で有る場合には、一度ログインしたＩＰ電話端末１は、ユーザ「Ｕ１」によりログアウトのコマンドが入力されない限りレジストラサーバ２１の登録リスト２１１から当該ＩＰ電話端末１が削除されず、継続的にログインが保持される。
【００４５】
第１の方法は、ログイン中のＩＰ電話端末１が上限台数以下であれば、ログアウトされてしまうこともなく再ログインを行う手続きが不要なので便利である。
【００４６】
（第２の方法）
第２の方法は、レジストラサーバ２１が登録リスト２１１を更新する所定の周期（ここでは、３０分）内にユーザが再ログインコマンドをＩＰ電話端末１へ入力するものである。
【００４７】
今仮に、ユーザ「Ｕ１」は、無線ＬＡＮ端末のＩＰ電話端末１Ｂによる無線ＬＡＮ通信を行い、適時ＩＰ電話端末１Ａを用いて電話をかけるものとする。しかし、ＩＰ電話端末１Ａを用いて電話をかけることが無く、例えば、最初のログイン後３０分経過の直前（例えば、１分前）になった場合、ＩＰ電話端末１Ａは、内部タイマにより再ログイン（再登録）を促す警報をランプ等により表示する。そして、ユーザ「Ｕ１」は、このランプ警報を見て再ログインを行い、再ログインのコマンドを入力するために、例えば、キーボタンが所定の手順で押される（ステップｓ１１５がＹｅｓ）とする。（なお、当然ながら再登録時間が経過した場合にＩＰ電話端末１は上記の様な再登録を促す警報を出さずにタイムアウトして自動的にログアウトするものであってもよい。）。
【００４８】
再ログインのコマンドが入力されたＩＰ電話端末１Ａは、ステップｓ１０５の手順に従い、レジストラサーバ２１から登録リスト２１１をダウンロードする。そして、ＩＰ電話端末１Ａが登録リスト２１１を判読すると、ユーザ「Ｕ１」は、ＩＰ電話端末１Ｂも登録されており、ユーザ「Ｕ１」の上限数「２」の状態で、再登録をしようとしていると判断する（ステップｓ１０７がＹｅｓ）。
【００４９】
そして、更に自分の端末のＩＰアドレスが登録リスト２１１に有るかどうかを調べ、「U1@192.168.100.1」の記載を判読して自分のＩＰアドレスが登録リスト２１１に有る（ステップｓ１１２がＹｅｓ）と登録可能と判断して、レジストラサーバ２１にユーザ「Ｕ１」のＩＤとＩＰ電話端末１ＡのＩＰアドレスの登録情報を送信する再ログインを行う手順を実行される（ステップｓ１０９）。
【００５０】
また、別の場合として、ユーザ「Ｕ１」が会議室で打合せ中に事務所のＩＰ電話端末１Ａで、再ログイン（再登録）が必要な時間（例えば、３０分）が経過したとする。ユーザ「Ｕ１」は、会議室にいるので、強制ログイン操作、又は、ユーザ「Ｕ１」に付いての登録数が上限に達していない場合でも、再ログインのコマンド操作は行われない（ステップｓ１１５がＮｏ）のでＩＰ電話端末１Ａはタイムアウトして自動的にログアウトする。
【００５１】
また、レジストラサーバ２１も同様に、ＩＰ電話端末１の登録情報を受信後の経過時間を内部タイマで監視している。そして、ＩＰ電話端末１Ａの前回のログイン成功後所定の周期（３０分）が経過した時、登録リスト２１１からＩＰ電話端末１Ａを削除する。
【００５２】
第２の方法は、再ログインコマンドが入力されないと接続中のＩＰ電話の端末の数が上限に達していなくとも当該ＩＰ電話端末が自動的にログアウト、および登録リスト２１１から削除されるのでＩＰ電話システムの端末の許容量の制限が厳しい場合に効果的である。
【００５３】
図４（ｄ）は、強制ログインが行われた後にＩＰ電話端末１Ａ、１Ｂがログアウトし電話端末１Ｃ岳がログインしている状態のレジストラサーバ２１の登録リスト２１１を示している。
【００５４】
また、強制ログイン待機状態になったＩＰ電話端末１は、一定の間隔でレジストラサーバ２１の登録リスト２１１を読み出すようにしてログイン可能になったことを検出するようにしても良い。
【００５５】
例えば、図４（ｃ）の登録状態で、ユーザ「Ｕ１」が移動先で電話をかけようとしたＩＰ電話端末１Ｍが強制ログイン入力待機の手順（ステップｓ１１３）を実行中に、定期的、例えば数分間隔で、自動的にレジストラサーバ２１から登録リスト２１１をダウンロードする（ステップｓ１０５）様にする。そして、ＩＰ電話端末１Ｍは、図４（ｄ）の状態になるとＩＰ電話端末１Ａ、１Ｂのログアウトを検出することにより自分がログインしてもログインするＩＰ電話端末の台数が上限台数以下（ここでは、２とする）になり自分がログイン出来るようになったと判断する。そして、ログイン可能状態で有ることをＩＰ電話端末１Ｍにランプ等で表示することによりユーザ「Ｕ１」がユーザＩＤと電話番号とを入力して電話をかけるように促すことが出来る。また、ＩＰ電話端末１Ｃは、強制ログイン入力の待機中にログイン出来るようになったと判断した場合、ユーザ「Ｕ１」がログイン操作をする代わりに自動的に登録情報をレジストラサーバ２１に送信してログインするようにしても良い。
【００５６】
なお、本発明のＩＰ電話システムの実施形態は、図１においては構成情報管理サーバ３を独立した構成としているが、各サーバの配置構成については、図１に示される以外に各サーバが独立した構成、または組合せ、内蔵等による構成による実施形態であっても良い。
【００５７】
例えば、図５は、ＳＩＰサーバ３、レジストリサーバ２１、構成情報管理サーバ３をそれぞれ独立した構成としてＩＰネットワーク４に接続している第２の形態を示す構成図である。また、図６は、ＳＩＰサーバ２にレジストリサーバ２１、構成情報管理サーバ３を内蔵し、それぞれのサーバの間が内部バスで接続される構成とした第３の形態を示す構成図である。更にまた、図７は、サーバ２０がＳＩＰサーバ３、レジストリサーバ２１、構成情報管理サーバ３を組み込んだ装置、又はシステム構成である第４の形態を示す構成図である。この場合、各サーバの間は、ＩＰネットワーク接続、又は内部バスのいずれかで接続されている。これらの第２〜第４の実施形態においても、ＩＰ電話システム、即ちＩＰ電話端末１と各サーバとの間の動作手順等については、第１の実施形態と同様である。
【００５８】
以上説明の如く本発明のＩＰ電話システムでは、ユーザが無制限にどのＩＰ電話端末から電話をかけることがないようＩＰ電話端末の登録上限数を設け、ＳＩＰ電話端末自身が上限数を記憶したサーバを参照してログイン制御をすることにより、ＳＩＰサーバのＩＰアドレス管理やユーザＩＤ管理および呼接続処理の負荷を防いでいる。
【図面の簡単な説明】
【００５９】
【図１】本発明の実施例に係わるＩＰ電話システムの全体を示す構成図。
【図２】本発明の実施例に係わるＩＰ電話システムのＩＰ電話端末の動作手順のフローを説明するフローチャート。
【図３】各ユーザが同時にログイン可能なＩＰ電話端末の上限台数が登録されたテーブルの図。
【図４】各ＩＰ電話端末１とユーザＩＤの対応を示す登録リストの図。
【図５】本発明の実施例の第２の実施形態に係わるＩＰ電話システムの構成図。
【図６】本発明の実施例に第３の実施形態に係わるＩＰ電話システムの構成図。
【図７】本発明の実施例に第３の実施形態に係わるＩＰ電話システムの構成図。
【符号の説明】
【００６０】
１Ａ〜１Ｍ  ＩＰ電話端末
２  ＳＩＰサーバ
２１  レジストラサーバ
２１１  登録リスト
２２  呼接続制御部
３  構成情報管理サーバ
３１  テーブル
４  ＩＰネットワーク
５  アクセスポイント
【図１】
2006180322.tif 000003
【図２】
2006180322.tif 000004
【図３】
2006180322.tif 000005
【図４】
2006180322.tif 000006
【図５】
2006180322.tif 000007
【図６】
2006180322.tif 000008
【図７】
2006180322.tif 000009
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
サーバ手段と複数のＩＰ電話端末とを備えるＩＰ電話システムにおいて、
前記ＩＰ電話システムの各ユーザが同時に前記ＩＰ電話システムにログイン可能な前記ＩＰ電話端末の各上限台数を内部メモリ上のテーブルに記憶する構成情報管理サーバ手段と、前記各ユーザのＩＤと前記ユーザによりログインされる前記ＩＰ電話端末の端末ＩＤ又はＩＰアドレスとを組にした登録情報を前記ＩＰ電話端末から受信した場合、前記組の登録情報を内部メモリ上の登録リストにログインデータとして記憶するレジストラサーバ手段と、前記ログインしたＩＰ電話端末との間で呼接続制御をするＳＩＰサーバ手段とを備えたサーバ手段と、
前記ユーザのＩＤが入力されると、ＩＰネットワークを介して前記レジストラサーバ手段の前記登録リストから当該ユーザのＩＤと組になり前記記憶された前記ＩＰ電話端末の台数と前記構成情報管理サーバの前記テーブルから当該ユーザの前記上限台数とを読み出して照合比較し、前記登録すると前記ログインするＩＰ電話端末の台数が前記上限台数以下である場合は、当該ユーザのＩＤと自身のＩＰ電話端末の端末ＩＤ又はＩＰアドレスを組にした新たな登録情報を前記ＩＰネットワークを介して前記レジストラサーバに送信することにより前記ログインするＩＰ電話端末とを
具備することを特徴とするＩＰ電話システム。
【請求項２】
前記ＩＰ電話端末は、前記照合比較し、前記登録すると当該ユーザが前記ログインするＩＰ電話端末の台数が前記上限台数を超える場合は、強制ログインコマンドが入力されない限り、前記新しい登録情報を送信せずにログインを待機することを特徴とする
請求項１に記載のＩＰ電話システム。
【請求項３】
前記ＩＰ電話端末は、
前記待機を開始すると共に予め定めたタイミングで前記照合比較を実施し、前記登録されていた前記ＩＰ電話端末のいずれかがログアウトすることにより前記新しい登録情報を送信しても当該ユーザがログインするＩＰ電話端末の台数が前記上限台数以下になる場合、自動的に前記登録情報を送信してログインすることを特徴とする請求項２に記載のＩＰ電話システム。
【請求項４】
前記ＩＰ電話端末は、
前記待機を開始すると共に、ランプ表示、又は警報音を出力して前記ログインが不可であることをユーザＩＤを入力したユーザに通知することを特徴とする請求項２に記載のＩＰ電話システム。
【請求項５】
構成情報管理サーバ手段と、レジストラサーバ手段と、ＳＩＰサーバ手段と、それぞれが固有の端末ＩＤを備え複数のＩＰ電話端末とを具備するＩＰ電話システムの通信制御方法であって、
構成情報管理サーバ手段は、
前記ＩＰ電話システムを利用する各ユーザが同時に前記ＩＰ電話システムにログイン可能な前記ＩＰ電話端末の各上限台数を内部メモリ上のテーブルに記憶し、
レジストラサーバ手段は、
前記ＩＰ電話端末から前記ユーザのＩＤと、前記ＩＰ電話端末の端末ＩＤ、又はＩＰアドレスとからなる組の登録情報を受信した場合、前記組の登録情報をログイン内部メモリ上の登録リストにログインデータとして記憶し、
自端末から前記ＩＰ電話システムにログインする前記ユーザのＩＤが入力された前記ＩＰ電話端末は、
前記ＩＰネットワークを介して前記レジストラサーバ手段の前記登録リストから当該ユーザのＩＤが前記記憶された前記ＩＰ電話端末の台数、および前記ユーザの前記上限台数を前記構成情報管理サーバ手段から読み出して照合比較し、前記登録しても当該ユーザがログインするＩＰ電話端末の台数が前記上限台数以下である場合は、当該ユーザのＩＤと自らのＩＰ電話端末の端末ＩＤ、又はＩＰアドレスを組にした新しい登録情報を前記レジストラサーバ手段に送信して当該ＩＰ電話端末を前記ログインし、
前記ＳＩＰサーバ手段は、
前記ログインした前記ＩＰ電話端末との間で呼接続制御を行う
ことを特徴とするＩＰ電話システムの通信制御方法。
【請求項６】
前記ＩＰ電話端末は、前記照合比較し、前記登録すると当該ユーザが前記ログインするＩＰ電話端末の台数が前記上限台数を超える場合は、強制ログインコマンドが入力されない限り、前記新しい登録情報を送信せずにログインを待機することを特徴とする
請求項５に記載のＩＰ電話システムの通信制御方法。
【請求項７】
前記ＩＰ電話端末は、
前記待機を開始すると共に予め定めたタイミングで前記照合比較を実施し、前記登録されていた前記ＩＰ電話端末のいずれかがログアウトすることにより前記新しい登録情報を送信しても当該ユーザがログインするＩＰ電話端末の台数が前記上限台数以下になる場合、自動的に前記登録情報を送信してログインすることを特徴とする請求項６に記載のＩＰ電話システムの通信制御方法。
【請求項８】
前記ＩＰ電話端末は、
前記待機を開始すると共に、ランプ表示、又は警報音を出力して前記ログインが不可であることをユーザＩＤを入力したユーザに通知することを特徴とする請求項６に記載のＩＰ電話システムの通信制御方法。
【手続補正２】
【補正対象書類名】明細書
【補正対象項目名】０００７
【補正方法】変更
【補正の内容】
【０００７】
上記目的を達成するために、本発明のＩＰ電話システムは、サーバ手段と複数のＩＰ電話端末とを備えるＩＰ電話システムにおいて、前記ＩＰ電話システムの各ユーザが同時に前記ＩＰ電話システムにログイン可能な前記ＩＰ電話端末の各上限台数を内部メモリ上のテーブルに記憶する構成情報管理サーバ手段と、前記各ユーザのＩＤと前記ユーザによりログインされる前記ＩＰ電話端末の端末ＩＤ又はＩＰアドレスとを組にした登録情報を前記ＩＰ電話端末から受信した場合、前記組の登録情報を内部メモリ上の登録リストにログインデータとして記憶するレジストラサーバ手段と、前記ログインしたＩＰ電話端末との間で呼接続制御をするＳＩＰサーバ手段とを備えたサーバ手段と、前記ユーザのＩＤが入力されると、ＩＰネットワークを介して前記レジストラサーバ手段の前記登録リストから当該ユーザのＩＤと組になり前記記憶された前記ＩＰ電話端末の台数と前記構成情報管理サーバの前記テーブルから当該ユーザの前記上限台数とを読み出して照合比較し、前記登録すると前記ログインするＩＰ電話端末の台数が前記上限台数以下である場合は、当該ユーザのＩＤと自身のＩＰ電話端末の端末ＩＤ又はＩＰアドレスを組にした新たな登録情報を前記ＩＰネットワークを介して前記レジストラサーバに送信することにより前記ログインするＩＰ電話端末とを具備することを特徴とする。
【手続補正３】
【補正対象書類名】明細書
【補正対象項目名】０００９
【補正方法】変更
【補正の内容】
【０００９】
本発明によれば、ユーザがログインするＩＰ電話端末台数を制限することによりＳＩＰサーバの負荷の増加を防ぐことが出来る。